(57)【要約】【課題】  より利便性の高い電子装置、及び電子装置の制御方法を提供する。【解決手段】  一実施形態に係る電子装置は、紙葉類処理装置と通信する通信部と、画面を表示する表示部と、操作を入力する操作部と、前記紙葉類処理装置を制御する為のプログラムを記憶する第１の記憶部と、前記プログラムに基づいて、前記紙葉類処理装置を制御する為の操作画面を前記表示部に表示させ、且つ前記操作画面上での操作に基づいて前記紙葉類処理装置を制御する為の制御信号を生成し、生成した前記制御信号を前記紙葉類処理装置に送信する制御部と、を具備する。【選択図】      図３
2014180659.tif 000002
【特許請求の範囲】
【請求項１】
紙葉類処理装置と通信する通信部と、
画面を表示する表示部と、
操作を入力する操作部と、
前記紙葉類処理装置を制御する為のプログラムを記憶する第１の記憶部と、
前記プログラムに基づいて、前記紙葉類処理装置を制御する為の操作画面を前記表示部に表示させ、且つ前記操作画面上での操作に基づいて前記紙葉類処理装置を制御する為の制御信号を生成し、生成した前記制御信号を前記紙葉類処理装置に送信する制御部と、
を具備する電子装置。
【請求項２】
前記紙葉類処理装置内の部分毎の複数の図面と、前記紙葉類処理装置が備えるジャムを検出する為のセンサを識別する為の識別情報とを対応付けて記憶する第２の記憶部をさらに具備し、
前記制御部は、前記紙葉類処理装置でジャムが発生したことを示す異常通知を受信した場合、前記異常通知からジャムを検出したセンサの識別情報を取得し、取得した識別情報に応じた前記図面を前記表示部に表示させる、
請求項１に記載の電子装置。
【請求項３】
前記制御部は、前記識別情報に基づいて、前記表示部に表示させる図面中でジャムが検出された位置を特定して表示する請求項２に記載の電子装置。
【請求項４】
紙葉類処理装置と通信する通信部と、画面を表示する表示部と、操作を入力する操作部と、を具備する電子装置の制御方法であって、
前記紙葉類処理装置を制御する為のプログラムを予め記憶し、
前記プログラムに基づいて、前記紙葉類処理装置を制御する為の操作画面を前記表示部に表示させ、且つ前記操作画面上での操作に基づいて前記紙葉類処理装置を制御する為の制御信号を生成し、生成した前記制御信号を前記紙葉類処理装置に送信する、
電子装置の制御方法。
【発明の詳細な説明】
【技術分野】
【０００１】
本発明の実施形態は、電子装置、及び電子装置の制御方法に関する。
【背景技術】
【０００２】
従来、例えば郵便物などの紙葉類を処理する郵便区分機などの紙葉類処理装置が実用化されている。このような紙葉類処理装置は、投入部に投入された紙葉類を１枚ずつ取り込み、紙葉類から画像を取得する。また、紙葉類処理装置は、紙葉類区分装置を備える。紙葉類区分装置は、紙葉類から取得した画像に基づいて、紙葉類上の単語を認識する。紙葉類処理装置は、認識結果に基づいて紙葉類に記載されたアドレスまたは他の情報を特定し、紙葉類を所定の区分ポケットに区分する。
【先行技術文献】
【特許文献】
【０００３】
【特許文献１】特開２００２−２６９４９８号公報
【発明の概要】
【発明が解決しようとする課題】
【０００４】
紙葉類処理装置は、アドレスに応じた数の区分ポケットを備える必要がある。この為、紙葉類処理装置は、装置が巨大になる傾向がある。しかし、紙葉類処理装置の操作部及び操作画面を表示する表示部は、紙葉類の投入部付近に設置されている。この為、搬送路の確認を行う必要がある場合、係員は、区分ポケットと操作部とを往復する必要があり、手間であるという課題がある。
【０００５】
本発明は、より利便性の高い電子装置、及び電子装置の制御方法を提供することを目的とする。
【課題を解決するための手段】
【０００６】
一実施形態に係る電子装置は、紙葉類処理装置と通信する通信部と、画面を表示する表示部と、操作を入力する操作部と、前記紙葉類処理装置を制御する為のプログラムを記憶する第１の記憶部と、前記プログラムに基づいて、前記紙葉類処理装置を制御する為の操作画面を前記表示部に表示させ、且つ前記操作画面上での操作に基づいて前記紙葉類処理装置を制御する為の制御信号を生成し、生成した前記制御信号を前記紙葉類処理装置に送信する制御部と、を具備する。
【図面の簡単な説明】
【０００７】
【図１】図１は、一実施形態に係る紙葉類処理装置の例について説明するための図である。
【図２】図２は、一実施形態に係る紙葉類処理装置の例について説明するための図である。
【図３】図３は、一実施形態に係る電子装置について説明するための図である。
【図４】図４は、一実施形態に係る電子装置について説明するための図である。
【図５】図５は、一実施形態に係る紙葉類処理装置について説明するための図である。
【図６】図６は、一実施形態に係る電子装置の処理について説明するための図である。
【発明を実施するための形態】
【０００８】
以下、図面を参照しながら、一実施形態に係る紙葉類処理装置、及び紙葉類区分装置について詳細に説明する。
【０００９】
図１及び図２は、一実施形態に係る紙葉類処理装置１０の構成例を示す。  
紙葉類処理装置１０は、紙葉類から画像を読み取って、読み取った画像から宛先情報及び切手の貼付位置などを認識し、紙葉類に押印し、紙葉類を区分する。紙葉類処理装置１０は、供給部２００、分離ローラ２１０、搬送路２２０、画像読取部４００、押印部４６０、印刷部４７０、主制御部５００、区分処理部３００、単語認識部６００、操作部７００、表示部８００、及び入出力部９００を備える。
【００１０】
主制御部５００は、紙葉類処理装置１０の各部の動作を統合的に制御する。主制御部５００は、ＣＰＵ、バッファメモリ、プログラムメモリ、及び不揮発性メモリなどを備える。ＣＰＵは、種々の演算処理を行う。バッファメモリは、ＣＰＵにより行われる演算の結果を一時的に記憶する。プログラムメモリ及び不揮発性メモリは、ＣＰＵが実行する種々のプログラム及び制御データなどを記憶する。主制御部５００は、ＣＰＵによりプログラムメモリに記憶されているプログラムを実行することにより、種々の処理を行うことができる。
【００１１】
供給部２００は、紙葉類処理装置１０に取り込む紙葉類１をストックする。供給部２００は、重ねられた状態の紙葉類１をまとめて受け入れる。
【００１２】
分離ローラ２１０は、例えば供給部２００の下端に設置される。分離ローラ２１０は、供給部２００に紙葉類１が投入された場合、投入された紙葉類１の集積方向の下端に接する。分離ローラ２１０は、回転することにより、供給部２００にセットされた紙葉類１を集積方向の下端から１枚ずつ紙葉類処理装置１０の内部に取り込む。
【００１３】
分離ローラ２１０は、たとえば、１回転するごとに１枚の紙葉類１を取り込む。これにより、分離ローラ２１０は、紙葉類１を一定のピッチで取り込むことができる。分離ローラ２１０により取り込まれた紙葉類１は、搬送路２２０に導入される。
【００１４】
搬送路２２０は、紙葉類１を紙葉類処理装置１０内の各部に搬送する搬送部である。搬送路２２０は、図示しない搬送ベルト及び図示しない駆動プーリなどを備える。搬送路２２０は、図示しない駆動モータにより駆動プーリを駆動する。搬送ベルトは、駆動プーリにより動作する。
【００１５】
搬送路２２０は、分離ローラ２１０により取り込む紙葉類１を搬送ベルトにより一定速度で矢印ａ（搬送方向ａ）の方向に搬送する。なお、搬送路２２０において分離ローラ２１０に近い側を上流側、逆側を下流側として説明する。
【００１６】
画像読取部４００は、搬送路２２０により搬送される紙葉類１から画像を取得する。画像読取部４００は、例えば、照明と光学センサとを備える。照明は、搬送路２２０により搬送される紙葉類１に対して光を照射する。光学センサは、Ｃｈａｒｇｅ  Ｃｏｕｐｌｅｄ  Ｄｅｖｉｃｅ（ＣＣＤ）またはＣｏｍｐｌｉｍｅｎｔａｒｙ  Ｍｅｔａｌ  Ｏｘｉｄｅ  Ｓｅｍｉｃｏｎｄｕｃｔｏｒ（ＣＭＯＳ）などの受光素子と光学系（レンズ）を備える。光学センサは、紙葉類１で反射した反射光を光学系により受光し、受光した光を受光素子に結像させ、電気信号（画像）を取得する。画像読取部４００は、搬送路２２０により搬送される紙葉類１から連続して画像を取得することにより、紙葉類１の全体の画像を取得する。画像読取部４００は、取得した画像を主制御部５００に供給する。なお、画像読取部４００は、ビデオカメラなどを備える構成であってもよい。
【００１７】
主制御部５００は、画像読取部４００から受け取った画像に基づいて、紙葉類１の搬送先を判定する為の処理を行う。主制御部５００は、単語認識部６００により画像中の単語を認識させることにより、宛先としての住所（宛先情報）などを特定する。主制御部５００は、宛先情報に基づいて２次元コード、またはバーコードなどのイメージを生成し、生成したイメージを印刷部４７０に供給する。
【００１８】
また、主制御部５００は、紙葉類１上の切手などが貼付された位置を特定する。またさらに、主制御部５００は、特定した切手の貼付位置に基づいて、押印部４６０の動作を制御する。
【００１９】
押印部４６０は、主制御部５００の制御に基づいて、例えば日付印などのスタンプを紙葉類１に押印する。即ち、主制御部５００は、切手の貼付位置と重なる位置にスタンプを押印するように押印部４６０を制御する。例えば、押印部４６０は、割り印となるようにスタンプを押印する。
【００２０】
印刷部４７０は、主制御部５００の制御に基づいて、例えば二次元コードまたはバーコードなどのイメージを印刷する。即ち、印刷部４７０は、主制御部５００から供給される二次元コードまたはバーコードなどのイメージを印刷する。例えば、印刷部４７０は、紫外線が照射された場合に励起光を発する蛍光体などを含むインクにより上記のイメージを印刷する。
【００２１】
区分処理部３００は、主制御部５００の制御に基づいて、紙葉類１を区分けして集積する。区分処理部３００は、例えば、第１のゲート３１０、第１のスタッカ３２０、第２のゲート３３０、及び第２のスタッカ３４０などの複数のゲート及びスタッカを備える。さらに、区分処理部３００は、ジャムを検出するセンサをさらに備える。また、区分処理部３００は、さらに複数のゲート及び複数スタッカを備える。スタッカは、例えば、宛先情報毎に設けられている。また、ゲートは、各スタッカ毎に設けられている。
【００２２】
主制御部５００は、区分処理部３００の各ゲートを制御することにより、紙葉類１を区分させることができる。これにより、区分処理部３００は、紙葉類１の宛先情報毎に異なるスタッカに紙葉類１を集積することができる。
【００２３】
第１のゲート３１０及び第２のゲート３３０は、搬送路２２０の画像読取部４００、押印部４６０、及び印刷部４７０より下流に設けられる。第１のゲート３１０及び第２のゲート３３０は、それぞれ主制御部５００の制御に基づいて動作する。主制御部５００は、上記した処理により認識された宛先情報に応じて、第１のゲート３１０及び第２のゲート３３０を制御する。
【００２４】
第１のゲート３１０は、紙葉類１の搬送先を第１のスタッカ３２０と第２のゲート３３０とで切り替える。また、第２のゲート３３０は、紙葉類１の搬送先を第２のスタッカ３４０と他のスタッカとで切り替える。
【００２５】
主制御部５００は、単語認識部６００により画像中の単語を認識させる為に、画像読取部４００から受け取った画像を単語認識部６００に供給する。
【００２６】
単語認識部６００は、受け取った画像中の単語を認識する。単語認識部６００は、認識結果を主制御部５００に出力する。主制御部５００は、単語認識部６００による認識結果に基づいて、宛先情報などを特定する。
【００２７】
また、主制御部５００は、宛先情報を特定することができなかった紙葉類１の画像を保持するメモリを備える。また、区分処理部３００は、宛先情報を特定できなかった紙葉類１を集積するスタッカを備える。
【００２８】
操作部７００は、オペレータによる各種操作入力を操作部により受け付ける。操作部７００は、オペレータにより入力される操作に基づいて操作信号を生成し、生成した操作信号を主制御部５００に伝送する。
【００２９】
例えば、紙葉類処理装置１０は、ＶＣＳ（Ｖｉｄｅｏ  Ｃｏｄｉｎｇ  Ｓｙｓｔｅｍ）の機能を備えていてもよい。即ち、紙葉類処理装置１０の主制御部５００は、宛先情報を特定できなかった紙葉類１の画像を表示部８００に表示させる。紙葉類処理装置１０は、表示部８００に表示させた紙葉類１の画像をオペレータに読み取らせて宛先情報を操作部７００により入力させる。これにより、紙葉類処理装置１０は、正しい宛先情報を取得することが出来る。
【００３０】
表示部８００は、主制御部５００の制御に基づいて種々の画面を表示する。例えば、表示部８００は、オペレータに対して各種の操作案内、及び処理結果などを表示する。また、上記したように、表示部８００は、宛先情報が特定されなかった紙葉類１の画像を表示する構成であってもよい。なお、操作部７００と表示部８００とは、タッチパネルとして一体に形成されていてもよい。
【００３１】
入出力部９００は、紙葉類処理装置１０に接続される外部機器、または記憶媒体とデータの送受信を行う。例えば、入出力部９００は、ディスクドライブ、ＵＳＢコネクタ、ＬＡＮコネクタ、またはデータの送受信が可能な他のインターフェースなどを備える。紙葉類処理装置１０は、入出力部９００に接続される外部機器、または記憶媒体からデータを取得することができる。また、紙葉類処理装置１０は、入出力部９００に接続される外部機器、または記憶媒体に処理結果を伝送することもできる。
【００３２】
なお、供給部２００、操作部７００、及び表示部８００などは、紙葉類処理装置１０の端部に集中して設けられている。また、例えば、区分処理部３００は、それぞれ複数のゲート及び複数スタッカを備える複数のセクション３００Ａ乃至３００Ｉを備える。複数のセクション３００Ａ乃至３００Ｉは、コの字状に連結されて配列されている。
【００３３】
また、入出力部９００は、タブレット端末１００などの電子装置と無線通信する為の通信モジュールを備える。入出力部９００は、無線通信によりタブレット端末１００に対して種々の情報を送信することができる。
【００３４】
図３は、タブレット端末（携帯端末）１００の構成の例を示す。  
タブレット端末１００は、制御部１５０、操作入力部１６４、通信部１７１、及び記憶部１７４を備える。さらに、タブレット端末１００は、スピーカ１２２、マイク１２３、ディスプレイ１３４、タッチセンサ１３５を備える。
【００３５】
制御部１５０は、タブレット端末１００の各部の動作を制御する制御部として機能する。制御部１５０は、ＣＰＵ１５１、ＲＯＭ１５２、ＲＡＭ１５３、及び不揮発性メモリ１５４などを備えている。制御部１５０は、操作入力部１６４、またはタッチセンサ１３５から供給される操作信号に基づいて、種々の処理を行う。
【００３６】
ＣＰＵ１５１は、種々の演算処理を実行する演算素子などを備える。ＣＰＵ１５１は、ＲＯＭ１５２、または不揮発性メモリ１５４などに記憶されているプログラムを実行することにより種々の機能を実現する。
【００３７】
ＲＯＭ１５２は、タブレット端末１００を制御する為のプログラム、及び各種の機能を実現する為のプログラムなどを記憶する。ＣＰＵ１５１は、操作入力部１６４から供給される操作信号に基づいて、ＲＯＭ１５２に記憶されているプログラムを起動する。これにより、制御部１５０は、各部の動作を制御する。
【００３８】
ＲＡＭ１５３は、ＣＰＵ１５１のワークメモリとして機能する。即ち、ＲＡＭ１５３は、ＣＰＵ１５１の演算結果、ＣＰＵ１５１により読み込まれたデータなどを記憶する。
【００３９】
不揮発性メモリ１５４は、各種の設定情報、及びプログラムなどを記憶する不揮発性メモリである。
【００４０】
また、ＣＰＵ１５１は、記憶部１７４に格納されているアプリケーションなどのデータに基づいて、種々の処理を実行することができる。
【００４１】
また、制御部１５０は、ＣＰＵ１５１が実行しているアプリケーションに応じて、種々の画面などの映像信号を生成し、ディスプレイ１３４に表示させることができる。また、制御部１５０は、ＣＰＵ１５１が実行しているアプリケーションに応じて、種々の音声などの音声信号を生成し、スピーカ１２２により出力させることができる。
【００４２】
スピーカ１２２は、供給されるオーディオ信号に基づいて音を再生する。
【００４３】
マイク１２３は、タブレット端末１００の外部の音に基づいて信号（録音信号）を生成する集音部である。マイク１２３は、録音信号を制御部１５０に供給する。
【００４４】
ディスプレイ１３４は、例えば、マトリクス状に配列された複数の画素を備える液晶表示パネルと、この液晶パネルを照明するバックライトとを備える液晶表示装置などを備える。ディスプレイ１３４は、映像信号に基づいて映像を表示する。
【００４５】
タッチセンサ１３５は、静電容量式センサ、サーモセンサ、または他の方式に基づいて位置情報を生成するデバイスである。例えば、タッチセンサ１３５は、ディスプレイ１３４と一体に設けられる。これにより、タッチセンサ１３５は、ディスプレイ１３４に表示されている画面上での操作に基づいて操作信号を生成し、制御部１５０に供給することができる。
【００４６】
操作入力部１６４は、例えば、ユーザによる操作入力に応じて操作信号を生成するキーを備える。操作入力部１６４は、例えば、音量を調整する為の音量調整キー、ディスプレイ１３４の表示輝度を調整する為の輝度調整キー、及び、タブレット端末１００の電源状態を切り替える為の電源キーなどを備える。また、操作入力部１６４は、種々の選択操作などをタブレット端末１００に実行させる為のトラックボールなどをさらに備えていてもよい。操作入力部１６４は、上記したキーの操作に応じて操作信号を生成し、操作信号を制御部１５０に供給する。
【００４７】
通信部１７１は、無線通信により紙葉類処理装置１０と通信することができる。タブレット端末１００は、紙葉類処理装置１０から種々の情報を受け取ることができる、またタブレット端末１００は、紙葉類処理装置１０に対して種々の情報を送信することができる。
【００４８】
また、タブレット端末１００は、図示しない電源部を備える。電源部は、バッテリーと、商用電源などから電力を受け取るアダプタと接続する為の端子（例えばＤＣジャック）と、を備える。電源部は、商用電源から受け取った電力をバッテリーに充電する。また、電源部は、バッテリーに充電されている電力をタブレット端末１００内の各部へ供給する。
【００４９】
記憶部１７４は、ハードディスクドライブ（ＨＤＤ）、ソリッドステイトドライブ（ＳＳＤ）、または半導体メモリなどを備える。記憶部１７４は、制御部１５０のＣＰＵ１５１により実行されるプログラム、アプリケーション、及び種々のデータなどを記憶することができる。
【００５０】
記憶部１７４は、例えば、オペレーティングシステム（ＯＳ）、及びＯＳ上で実行可能な種々のアプリケーションを記憶している。また、記憶部１７４は、紙葉類処理装置１０を制御する為の制御プログラム、紙葉類処理装置１０の操作マニュアル、稼動スケジュールを示すファイル、及び紙葉類処理装置１０の各部の図面などを記憶することができる。
【００５１】
例えば、タブレット端末１００は、紙葉類処理装置１０を制御する為の制御プログラムを実行することにより、従来、操作部７００及び表示部８００で行っている操作を、タブレット端末１００により無線通信で行うことができる。
【００５２】
図４は、タブレット端末１００における画面表示の例を示す。タブレット端末１００は、例えば、紙葉類処理装置１０を制御する為の制御プログラムを実行した場合、操作部７００の操作パネルに対応した画面（操作画面）と、紙葉類処理装置１０で表示部８００に表示される画面に対応した紙葉類処理装置１０の状態及び設定などを表示する画面（状態画面）とを表示することができる。
【００５３】
タブレット端末１００は、操作画面上で入力された操作に応じて、紙葉類処理装置１０に送信する制御信号を生成する。タブレット端末１００は、生成した制御信号を無線通信により紙葉類処理装置１０に送信することができる。この場合、紙葉類処理装置１０は、タブレット端末１００から受信した制御信号に基づいて、各種の設定、及び動作などを実行することができる。
【００５４】
これにより、係員は、可搬性の高いタブレット端末１００を持って区分処理部３００の各セクション３００Ａ乃至３００Ｉなどに移動することができる。これにより、係員は、紙葉類処理装置１０の設定などを紙葉類処理装置１０の操作部７００及び表示部８００まで移動することなく、変更させることができる。この結果、より利便性の高い電子装置、及び電子装置の制御方法を提供することができる。
【００５５】
なお、タブレット端末１００は、操作画面と状態画面とを、フリック操作、または画面上のボタンの操作により切り替えることができる。また、タブレット端末１００は、また、操作画面と状態画面とをひとつの画面として表示することもできる。
【００５６】
また、紙葉類処理装置１０は、宛先情報を特定することができなかった紙葉類１の画像をタブレット端末１００に無線通信により送信する構成であってもよい。タブレット端末１００は、紙葉類処理装置１０から宛先情報を特定することができなかった紙葉類１の画像を受信した場合、受信した画像をディスプレイ１３４に表示させる。さらに、タブレット端末１００は、宛先情報を入力する為の表示画面などをディスプレイ１３４に表示させる。タブレット端末１００は、この表示画面内で入力された操作に応じて宛先情報を生成する。タブレット端末１００は、生成した宛先情報を紙葉類処理装置１０に送信する。これにより、紙葉類処理装置１０は、正しい宛先情報を取得することができる。
【００５７】
また、紙葉類処理装置１０は、搬送路２２０上で発生した紙葉類１の詰り（ジャム）などを検出する為のセンサを複数備えている。紙葉類処理装置１０内のセンサは、それぞれ固有の識別情報を有する。紙葉類処理装置１０は、内部のいずれかのセンサによりジャムが検出された場合、ジャムを検出したセンサの識別情報と、ジャムが発生したことを示す情報とを含む異常通知をタブレット端末１００に送信する。
【００５８】
例えば、図５は、区分処理部３００内の一部の構成の例を示す。図５の例では、区分処理部３００は、搬送路２２０上でのジャムを検出する為のセンサＣ１１及びセンサＣ１２を備える。また、センサＣ１２によりジャムが検出されたとする。この場合、紙葉類処理装置１０は、センサＣ１２の識別情報と、ジャムが発生したことを示す情報とを含む異常通知をタブレット端末１００に送信する。
【００５９】
タブレット端末１００は、異常通知を受信した場合、紙葉類処理装置１０の各部の図面などのファイルを読みだす。このファイルには、各センサの識別情報などが図面に対応付けられている。タブレット端末１００は、受信した異常通知が示すセンサの識別情報に基づいて、このセンサが図示されている図面を特定する。タブレット端末１００は、特定した図面をディスプレイ１３４に表示させる。
【００６０】
即ち、タブレット端末１００は、紙葉類処理装置１０内の部分毎の複数の図面と、紙葉類処理装置１０が備えるジャムを検出する為の複数のセンサを識別する為の識別情報とを対応付けて不揮発性メモリ１５４、または記憶部１７４などに記憶する。タブレット端末１００は、紙葉類処理装置１０でジャムが発生したことを示す異常通知を受信した場合、異常通知からジャムを検出したセンサの識別情報を取得する。さらに、タブレット端末１００は、取得した識別情報が対応付けられている図面をディスプレイ１３４に表示させる。
【００６１】
図６は、タブレット端末１００における画面の表示例を示す。  
図６に示されるように、タブレット端末１００は、ジャムを検出したセンサＣ１２を含む図面をディスプレイ１３４に表示させる。さらにタブレット端末１００は、図面中の領域と、センサの識別情報とを対応付けて記憶する。タブレット端末１００は、異常通知から取得した識別情報に基づいて、ディスプレイ１３４に表示させる図面中でジャムが検出された領域（位置）を認識することができる。さらに、タブレット端末１００は、認識した領域を特定して表示させる。
【００６２】
例えば、タブレット端末１００は、図６のように、ジャムが発生している箇所の色を変える、またはアラートを表示させる。これにより、タブレット端末１００は、ジャムが発生している位置を係員に視覚的に報知することができる。
【００６３】
上記のような構成によると、係員は、紙葉類処理装置１０のジャムが発生している箇所をタブレット端末１００のディスプレイ１３４と紙葉類処理装置１０の搬送路２２０との両方を見ながら確認することができる。これにより、タブレット端末１００は、ジャムの発生位置をより的確に係員に知らせることができる。この結果、より利便性の高い電子装置、及び電子装置の制御方法を提供することができる。
【００６４】
なお、上述の各実施の形態で説明した機能は、ハードウエアを用いて構成するに留まらず、ソフトウエアを用いて各機能を記載したプログラムをコンピュータに読み込ませて実現することもできる。また、各機能は、適宜ソフトウエア、ハードウエアのいずれかを選択して構成するものであっても良い。
【００６５】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００６６】
１…紙葉類、１０…紙葉類処理装置、１００…タブレット端末、１２２…スピーカ、１２３…マイク、１３４…ディスプレイ、１３５…タッチセンサ、１５０…制御部、１５１…ＣＰＵ、１５２…ＲＯＭ、１５３…ＲＡＭ、１５４…不揮発性メモリ、１６４…操作入力部、１７１…通信部、１７４…記憶部、２００…供給部、２１０…分離ローラ、２２０…搬送路、３００…区分処理部、３１０…第１のゲート、３２０…第１のスタッカ、３３０…第２のゲート、３４０…第２のスタッカ、４００…画像読取部、４６０…押印部、４７０…印刷部、５００…主制御部、６００…単語認識部、７００…操作部、８００…表示部、９００…入出力部。
【図１】
2014180659.tif 000003
【図２】
2014180659.tif 000004
【図３】
2014180659.tif 000005
【図４】
2014180659.tif 000006
【図５】
2014180659.tif 000007
【図６】
2014180659.tif 000008